(57)【要約】【課題】抵抗膜方式を利用して、複数のタッチが正確に認識できるタッチ位置検出方法及びタッチ位置検出装置を提供する。【解決手段】タッチパネルへのタッチに応答し、タッチパネルを駆動させる外部電源を供給する段階、タッチパネルに接続された複数の下部駆動素子を順次にターンオンさせる段階、各下部駆動素子がターンオンする間、タッチパネルに接続された複数の上部駆動素子をターンオンさせ、マルチタッチされた位置のＸ座標位置を読み出す段階、読み出されたＸ座標位置の情報を受信する段階、タッチパネルに接続された上部駆動素子を順次にターンオンさせる段階、各上部駆動素子がターンオンする間、タッチパネルに接続された複数の下部駆動素子をターンオンさせ、マルチタッチされた位置のＹ座標の位置を読み出す段階、読み出されたＹ座標位置の情報を受信する段階、センシング素子をターンオンさせる段階、センシング素子をターンオフさせる段階を有する。【選択図】      図３
2010250801.tif 000002
【特許請求の範囲】
【請求項１】
タッチパネルへのタッチ（ｔｏｕｃｈ）に応答して、該タッチパネルを駆動するための外部電源を供給する段階と、
前記タッチパネルに接続された複数の下部駆動素子を順次にターン・オンさせる段階と、
前記下部駆動素子それぞれがターン・オンする間、前記タッチパネルに接続された複数の上部駆動素子をターン・オンさせて、マルチタッチされた位置のそれぞれのＸ座標位置を読み出す（ｒｅａｄ−ｏｕｔ）段階と、
前記読み出されたＸ座標位置の情報を受信する段階と、
前記タッチパネルに接続された前記上部駆動素子を順次にターン・オンさせる段階と、
前記上部駆動素子それぞれがターン・オンする間、前記タッチパネルに接続された前記複数の下部駆動素子をターン・オンさせて、マルチタッチされた位置のそれぞれのＹ座標の位置を読み出す段階と、
前記読み出されたＹ座標位置の情報を受信する段階と、
センシング素子をターン・オンさせる段階と、
前記センシング素子をターン・オフさせる段階とを有することを特徴とするタッチ位置検出方法。
【請求項２】
前記センシング素子をターン・オンさせる段階は、前記読み出されたＸ座標位置の情報及び前記Ｙ座標位置の情報をデジタル位置値に変換する段階と、
前記デジタル位置値を計算して、マルチタッチされた位置を取得する処理を行う段階と、
前記マルチタッチされた位置を前記タッチパネルの下に配置された表示パネルの駆動を制御するシステムに伝送する段階とをさらに含むことを特徴とする請求項１に記載のタッチ位置検出方法。
【請求項３】
前記第１方向に配列される複数の第１電極を有する下部基板と、前記第１方向と直交する第２方向に配列される複数の第２電極を有する上部基板と、前記下部基板及び上部基板の間に形成される複数のスペーサーとを含むタッチパネルと、
前記第１電極及び第２電極を駆動させる駆動素子部と、該駆動素子部に応答してタッチパネルへのタッチをセンシングするセンシング素子部とを含むタッチパネル駆動装置とを有し、
前記センシング素子部は、前記第１電極それぞれが駆動する間、前記第２電極の電圧を順次に読み出し、前記第２電極それぞれが駆動する間、前記第１電極の電圧を順次に読み出すことを特徴とするタッチ位置検出装置。
【請求項４】
前記駆動素子部は、前記第１方向に配列される第１電極それぞれに接続される複数の下部駆動素子と、
前記第２方向に配列される第２電極それぞれに接続される複数の上部駆動素子とを含むことを特徴とする請求項３に記載のタッチ位置検出装置。
【請求項５】
前記センシング素子部は、センシング抵抗と、
前記駆動素子部によってタッチがセンシングされる間、ローレベル電圧を維持し、前記駆動素子部によるセンシングが終了した後、ハイレベル電圧を維持するセンシング素子とを含むことを特徴とする請求項３に記載のタッチ位置検出装置。
【請求項６】
前記第１電極及び第２電極が順次に駆動するように前記タッチパネル駆動装置を制御するタッチパネル制御部をさらに有し、
前記タッチパネル制御部は、前記タッチパネル駆動装置から受信したアナログ位置値をデジタル位置値に変換するアナログ−デジタルコンバータ（ＡＤＣ）と、
前記アナログ−デジタルコンバータより受信したデジタル位置値を計算して、マルチタッチされた位置を検出するマイクロコントローラ（ＭＣＵ）とを含むことを特徴とする請求項３に記載のタッチ位置検出装置。
【請求項７】
タッチパネルへのタッチに応答して、該タッチパネルを駆動するための駆動パルスを前記タッチパネルに接続された下部時間遅延配線部に供給する段階と、
前記駆動パルスが前記下部時間遅延配線部に供給されている間、第１読出パルスを前記タッチパネルに接続される上部時間遅延配線部に供給する段階と、
前記第１読出パルスに従って読み出されたＸ座標位置の情報を受信する段階と、
前記読み出されたＸ座標位置の情報に応答して前記駆動パルスを、前記タッチパネルに接続された前記上部時間遅延配線部に供給する段階と、
前記駆動パルスが前記上部時間遅延配線部に供給されている間、第２読出パルスを前記タッチパネルに接続された前記下部時間遅延配線部に供給する段階と、
前記第２読出パルスに従って読み出されたＹ座標位置の情報を受信する段階と、
前記Ｘ座標位置の情報と前記Ｙ座標位置情報とを計算してマルチタッチされた位置を算出する段階とを有することを特徴とするタッチ位置検出方法。
【発明の詳細な説明】
【技術分野】
【０００１】
本発明は、タッチ位置検出方法及びこれを実行するためのタッチ位置検出装置に関し、より詳しくは、複数のタッチを同時に認識できるタッチ位置検出方法及びこれを実行するためのタッチ位置検出装置に関する。
【背景技術】
【０００２】
近年、情報化社会が急速に発達することによって、大量の情報を処理し、これを表示する表示装置が発展している。
各種電子機器を効率的に使用するために、リモコンまたは別途の入力装置無しで、表示装置の表示面に信号を入力するタッチパネルが広く使われている。例えば、電子手帳の画像表示装置である液晶表示装置（ＬＣＤ：Ｌｉｑｕｉｄ  Ｃｒｙｓｔａｌ  Ｄｉｓｐｌａｙ  Ｄｅｖｉｃｅ）の表示面に、タッチパネルが設置される。
【０００３】
タッチパネルは、マウス、又はキーボードなどの既存入力手段を代替しうる、新しい入力手段として、手またはペンを利用してスクリーンに直接情報を入力できる情報入力手段である。
【０００４】
タッチパネルは、誰でも容易に操作できるため、理想的な情報入力手段のうちの１つとして評価されている。近年、携帯電話、ＰＤＡなどの各種機器に採用され、銀行または官公機関などの主要機関でも使用されている。
【０００５】
このようなタッチパネルは、タッチ（ｔｏｕｃｈ）を感知する方法によって、静電容量型（ｃａｐａｃｉｔｉｖｅ  ｔｙｐｅ）、抵抗膜方式（ｒｅｓｉｓｔｉｖｅ  ｔｙｐｅ）、電磁誘導タイプ（Ｅｌｅｃｔｒｏ−ｍａｇｎｅｔｉｃ  ｔｙｐｅ：ＥＭ）などに区分できる。
【０００６】
静電容量方式のタッチパネルの基本構造は、電極が形成されるフィルムを液晶パネル上に設置し、電極に均一な電場が生成するようにフィルムの各角またはコーナーに電圧を印加する。電極に指、又は導電性ペンが接触する時、電圧降下が発生して位置座標を検知することができる。
【０００７】
また、抵抗膜方式のタッチパネルの基本構造は、画像を映し出し、タッチ領域を提供する上部電極が形成された上部透明基板と、上部透明基板に対向する下部電極が形成される下部透明基板が一定空間を有し積層されている。上部電極が形成されている上部基板にペン又は指ような入力手段がある所に接触すると、上部基板に形成された上部電極と下部基板に形成された下部電極とが相互に通電され、その位置の抵抗値による電圧の変化を感知して、タッチパネルの制御装置で電圧の変化による位置座標を検知ことができる。
【０００８】
一般的に、ペン、又は指のタッチを認識するタッチパネル入力装置として、抵抗膜方式のタッチパネルが主に使用されている。このような抵抗膜方式は上部電極と下部電極の面抵抗の差によって、タッチを認識する方式である。抵抗膜方式は、１つの平板電極を使用するため、２ヶ所以上のマルチタッチが発生する場合、２ヶ所間に平均電位を認識する。従って、タッチされた２ヶ所を正確に認識するのではなく、タッチされた２ヶ所間の中間地点をタッチ地点と誤認するという問題点が発生する。
【発明の概要】
【発明が解決しようとする課題】
【０００９】
そこで、本発明は上記従来のタッチパネルにおける問題点に鑑みてなされたものであって、本発明の目的は、タッチパネル入力装置として、抵抗膜方式を利用して、複数のタッチが正確に認識できるタッチ位置検出方法及びこれを実行するためのタッチ位置検出装置を提供することにある。
【課題を解決するための手段】
【００１０】
上記目的を達成するためになされた本発明によるタッチ位置検出方法は、タッチパネルへのタッチ（ｔｏｕｃｈ）に応答して、該タッチパネルを駆動するための外部電源を供給する段階と、前記タッチパネルに接続された複数の下部駆動素子を順次にターン・オンさせる段階と、前記下部駆動素子それぞれがターン・オンする間、前記タッチパネルに接続された複数の上部駆動素子をターン・オンさせて、マルチタッチされた位置のそれぞれのＸ座標位置を読み出す（ｒｅａｄ−ｏｕｔ）段階と、前記読み出されたＸ座標位置の情報を受信する段階と、前記タッチパネルに接続された前記上部駆動素子を順次にターン・オンさせる段階と、前記上部駆動素子それぞれがターン・オンする間、前記タッチパネルに接続された前記複数の下部駆動素子をターン・オンさせて、マルチタッチされた位置のそれぞれのＹ座標の位置を読み出す段階と、前記読み出されたＹ座標位置の情報を受信する段階と、センシング素子をターン・オンさせる段階と、前記センシング素子をターン・オフさせる段階とを有することを特徴とする。
【００１１】
前記センシング素子をターン・オンさせる段階は、前記読み出されたＸ座標位置の情報及び前記Ｙ座標位置の情報をデジタル位置値に変換する段階と、前記デジタル位置値を計算して、マルチタッチされた位置を取得する処理を行う段階と、前記マルチタッチされた位置を前記タッチパネルの下に配置された表示パネルの駆動を制御するシステムに伝送する段階とをさらに含むことが好ましい。
【００１２】
上記目的を達成するためになされた本発明によるタッチ位置検出装置は、前記第１方向に配列される複数の第１電極を有する下部基板と、前記第１方向と直交する第２方向に配列される複数の第２電極を有する上部基板と、前記下部基板及び上部基板の間に形成される複数のスペーサーとを含むタッチパネルと、前記第１電極及び第２電極を駆動させる駆動素子部と、該駆動素子部に応答してタッチパネルへのタッチをセンシングするセンシング素子部とを含むタッチパネル駆動装置とを有し、前記センシング素子部は、前記第１電極それぞれが駆動する間、前記第２電極の電圧を順次に読み出し、前記第２電極それぞれが駆動する間、前記第１電極の電圧を順次に読み出すことを特徴とする。
【００１３】
前記駆動素子部は、前記第１方向に配列される第１電極それぞれに接続される複数の下部駆動素子と、前記第２方向に配列される第２電極それぞれに接続される複数の上部駆動素子とを含むことが好ましい。
前記センシング素子部は、センシング抵抗と、前記駆動素子部によってタッチがセンシングされる間、ローレベル電圧を維持し、前記駆動素子部によるセンシングが終了した後、ハイレベル電圧を維持するセンシング素子とを含むことが好ましい。
前記第１電極及び第２電極が順次に駆動するように前記タッチパネル駆動装置を制御するタッチパネル制御部をさらに有し、前記タッチパネル制御部は、前記タッチパネル駆動装置から受信したアナログ位置値をデジタル位置値に変換するアナログ−デジタルコンバータ（ＡＤＣ）と、前記アナログ−デジタルコンバータより受信したデジタル位置値を計算して、マルチタッチされた位置を検出するマイクロコントローラ（ＭＣＵ）とを含むことが好ましい。
【００１４】
また、上記目的を達成するためになされた本発明によるタッチ位置検出方法は、タッチパネルへのタッチに応答して、該タッチパネルを駆動するための駆動パルスを前記タッチパネルに接続された下部時間遅延配線部に供給する段階と、前記駆動パルスが前記下部時間遅延配線部に供給されている間、第１読出パルスを前記タッチパネルに接続される上部時間遅延配線部に供給する段階と、前記第１読出パルスに従って読み出されたＸ座標位置の情報を受信する段階と、前記読み出されたＸ座標位置の情報に応答して前記駆動パルスを、前記タッチパネルに接続された前記上部時間遅延配線部に供給する段階と、前記駆動パルスが前記上部時間遅延配線部に供給されている間、第２読出パルスを前記タッチパネルに接続された前記下部時間遅延配線部に供給する段階と、前記第２読出パルスに従って読み出されたＹ座標位置の情報を受信する段階と、前記Ｘ座標位置の情報と前記Ｙ座標位置情報とを計算してマルチタッチされた位置を算出する段階とを有することを特徴とする。
【発明の効果】
【００１５】
本発明に係るタッチ位置検出方法及びこれを実行するためのタッチ位置検出装置によれば、複数個の第１電極と複数個の第２電極に順次に駆動電圧と読出電圧を印加することによって、タッチパネルがマルチタッチされる時、同一時間内にマルチタッチされた位置を正確に認識できるという効果がある。
また、電極１電極と第２電極に接続された配線のレイアウトのみを変更して第１電極と第２電極に印加されるパルスを一定時間遅延させることによって、ある素子の使用が不要になるため製造費用を減少させることができるという効果がある。
【００１６】
さらに、第１電極と第２電極に電圧ではなくパルスを印加することによって、Ｘ軸とＹ軸の値をほぼ同時に読み出することによって、駆動時間を減少させ、応答速度を速くしてマルチタッチを正確に認識することができるという効果がある。
【図面の簡単な説明】
【００１７】
【図１】本発明の第１の実施形態によるタッチパネルの断面図である。
【図２】図１のタッチパネルの動作を説明をするための断面図である。
【図３】本実施形態によるタッチ位置検出装置のブロック図である。
【図４】図３の一例によるタッチパネルに接続されたタッチパネル駆動装置の詳細図である。
【図５】図４のタッチ位置検出装置の駆動によるタッチパネルに印加される信号のタイミング図である。
【図６】本実施形態によるタッチ位置検出方法を示すフローチャートである。
【図７】図６のステップＳ１８０によるタッチパネル制御部の構成要素の動作を示すフローチャートである。
【図８】本実施形態によるタッチ位置検出装置に含まれるタッチパネルの他の例を示す平面図である。
【図９】図８のＡ部分の拡大図である。
【図１０】図９のＢ部分の断面図である。
【図１１】本実施形態によるタッチ位置検出装置に含まれるタッチパネルのさらに他の例を示す平面図である。
【図１２】本発明の第２の実施形態によるタッチ位置検出装置のブロック図である。
【図１３】図１２の一例によるタッチパネルに接続されたタッチパネル駆動装置の詳細図である。
【図１４】図１３のタッチパネルの駆動動作のタイミング図である。
【図１５】本実施形態によるタッチ位置検出方法を示すフローチャートである。
【発明を実施するための形態】
【００１８】
次に、本発明に係るタッチ位置検出方法及びこれを実行するためのタッチ位置検出装置を実施するための形態の具体例を図面を参照しながら説明する。
【００１９】
本発明は多様な変更を加えることができ、様々な形態を有することができるため、特定実施例を図面に例示し、本明細書に詳しく説明する。しかし、これは本発明を特定の開示形態に対して限定しようとすることではなく、本発明の思想及び技術範囲に含まれる全ての変更、均等物、ないしは代替物を含むことと理解されるべきである。各図面を説明しながら類似する参照符号を、類似する構成要素に対して使用した。添付図面において、構造物のサイズは本発明の明確性に基づくために実際より拡大して示した。第１、第２などの用語は多様な構成要素を説明するにあたって使用することができるが、各構成要素は使用される用語によって限定されるものではない。各用語は１つの構成要素を他の構成要素と区別する目的で使用されるものであって、例えば、明細書中において、第１構成要素を第２構成要素に書き換えることも可能であり、同様に第２構成要素を第１構成要素とすることができる。単数表現は文脈上、明白に異なる意味を有しない限り、複数の表現を含む。
【００２０】
本明細書において、「含む」または「有する」などの用語は、明細書上に記載された特徴、数字、段階、動作、構成要素、部分品、またはこれらを組み合わせたものが存在することを指定しようとすることであって、１つまたはそれ以上の別の特徴、数字、段階、動作、構成要素、部分品、またはこれらを組み合わせたものの存在または付加可能性を予め排除しないことと理解されるべきである。また、層、膜、領域、板などの部分が他の部分の「上に」あるとする場合、これは他の部分の「すぐ上に」ある場合のみでなく、その中間にさらに他の部分がある場合も含む。反対に、層、膜、領域、板などの部分が他の部分の「下に」あるとする場合、これは他の部分の「すぐ下に」ある場合のみでなく、その中間にさらに他の部分がある場合も含む。
【００２１】
図１は、本発明の第１の実施形態によるタッチパネル１００の断面図である。
図１を参照すると、本実施形態によるタッチパネル１００は、下部基板１１０、上部基板１２０、及びスペーサー１３０を含む。
【００２２】
下部基板１１０には、第１方向に配列された複数の第１電極１４０が形成されている。第１電極１４０は、ストライプ状または四角状で、第１方向（第１電極の幅方法）に配列される。下部基板１１０は、ガラス、プラスチック、テレフタル酸ポリエチレン（ＰＥＴ）の内の少なくとも何れかの１つからなってもよい。第１電極１４０は、インジウムスズ酸化物（Ｉｎｄｉｕｍ  Ｔｉｎ  Ｏｘｉｄｅ：ＩＴＯ）またはインジウム亜鉛酸化物（Ｉｎｄｉｕｍ  Ｚｉｎｃ  Ｏｘｉｄｅ：ＩＺＯ）などの透明導電性物質からなってもよい。
【００２３】
上部基板１２０には、第１方向に直交する第２方向に配列された複数の第２電極１５０が形成されている。上部基板１２０は、ペン、又は指によって押されるため、テレフタル酸ポリエチレン（ＰＥＴ）などの透明なフィルムからなってもよい。第２電極１５０は、インジウムスズ酸化物（Ｉｎｄｉｕｍ  Ｔｉｎ  Ｏｘｉｄｅ：ＩＴＯ）またはインジウム亜鉛酸化物（Ｉｎｄｉｕｍ  Ｚｉｎｃ  Ｏｘｉｄｅ：ＩＺＯ）などの透明導電性物質からなってもよい。
【００２４】
また、下部基板１１０及び上部基板１２０は、第１電極１４０及び第２電極１５０が形成されていない非タッチ領域である外郭部を接着剤１６０によって合着される。従って、接着剤１６０の高さによって、下部基板１１０と上部基板１２０との離隔距離が設定されてもよい。
【００２５】
スペーサー１３０は、下部基板１１０と上部基板１２０との間に配置されて、第１電極１４０と第２電極１５０との間の所定のギャップを維持させる。また、スペーサー１３０それぞれは、一定間隔離隔して形成される。スペーサー１３０は下部基板１１０の第１電極１４０、又は上部基板１２０上に形成されてもよい。また、スペーサー１３０は、第１電極１４０の下に形成されてもよい。スペーサー１３０は、エポキシ、アクリル樹脂などの絶縁性樹脂からなる。
【００２６】
図２は、図１のタッチパネル１００の動作を説明するための断面図である。
図１及び図２を参照すると、上部基板１２０がペン又は指によって加圧される時、第２電極１５０が第１電極１４０の接触することになる。第１電極１４０と第２電極１５０が接触することによって、抵抗値は、変化して電圧が変化する。従って、変化した電圧でタッチされた位置がわかる。
【００２７】
しかし、従来のこのような抵抗膜方式は、１つの電極と１つ以上の上部電極を利用して、電極の位置による面抵抗でタッチされた位置を認識した。従って、２ヶ所以上タッチするマルチタッチされる場合、２ヶ所間の平均電位を認識することになる。
【００２８】
一方、本実施形態によるタッチパネル１００では、複数の下部電極と複数の上部電極を含むため、従来のタッチパネルの問題点を解決することができる。
【００２９】
図３は、本実施形態によるタッチ位置検出装置５００のブロック図である。
図１〜図３を参照すると、本実施形態によるタッチ位置検出装置５００は、タッチパネル１００、タッチパネル駆動装置２００、及びタッチパネル制御部３００を含む。
【００３０】
タッチパネル１００は、図１及び図２に示すように、第１電極１４０と第１電極１４０と直交する第２電極１５０を含む。
【００３１】
タッチパネル駆動装置２００は、駆動素子部（図示せず）及びセンシング素子部（図示せず）を含む。タッチパネル駆動装置２００は、タッチパネル１００の上部基板１２０にペン又は指によるタッチがある時、外部より印加される電圧の印加を受ける。従って、タッチパネル駆動装置２００は、駆動素子部及びセンシング素子部を通じて第１電極１４０及び第２電極１５０に電圧を印加しつつ、第１電極１４０及び第２電極１５０をスキャンして上部基板１２０のタッチされた位置を認識する。
【００３２】
タッチパネル制御部３００は、タッチパネル１００の上部基板１２０がタッチされると、タッチパネル駆動装置２００に電圧を印加する。また、タッチパネル制御部３００は、タッチパネル駆動装置２００の駆動素子部及びセンシング素子部を制御するための制御信号（ＣＯＮ１〜ＣＯＮ１０、及びＳ）を提供する。従って、タッチパネル制御部３００は、タッチパネル駆動装置２００を制御することができる。
【００３３】
また、タッチパネル制御部３００は、アナルグ−デジタルコンバータ（Ａｎａｌｏｇ  ｔｏ  Ｄｉｇｉｔａｌ  Ｃｏｎｖｅｒｔｅｒ：以下、ＡＤＣ）３１０及びマイクロコントローラ（Ｍｉｃｒｏ−ｃｏｎｔｒｏｌｌｅｒ：以下、ＭＣＵ）３２０を含む。ＡＤＣ３１０は、タッチパネル１００に、ある電圧差が発生する時、収集されたアナログ値を、アナログ値に対応するデジタル値に変換する。ＭＣＵ３２０は、デジタル値を計算して電圧差が発生した位置を検知する。
【００３４】
図４は、図３の一例によるタッチパネル１００に接続されたタッチパネル駆動装置２００の詳細図である。
図１〜図４を参照すると、本実施形態によるタッチパネル１００に接続されたタッチパネル駆動装置２００は、下部駆動素子部２１０、上部駆動素子部２２０及びセンシング素子部２３０を含む。
【００３５】
下部駆動素子部２１０は、第１方向に配列された複数の第１電極１４０（１４０ａ〜１４０ｆ）に接続される。
上部駆動素子部２２０は、第１方向に配列された第１電極１４０（１４０ａ〜１４０ｆ）と直交する第２方向に配列された複数の第２電極１５０（１５０ａ〜１５０ｄ）に接続される。
【００３６】
センシング素子部２３０は、センシング抵抗２３１及びセンシング素子２３２を含む。センシング抵抗２３１は、第２電極１５０が第１電極１４０とタッチされる時に発生する電圧差を認識する。センシング素子２３２は、下部及び上部駆動素子部（２１０、２２０）によってタッチがセンシングされる間、ローレベルを維持し、下部及び上部駆動素子部（２１０、２２０）によるセンシングが終了した後、ハイレベルを維持することによって、センシング抵抗２３１によって電圧差をセンシングすることができる。
【００３７】
また、タッチパネル１００は、第１電極１４０と第１電極１４０と直交する第２電極１５０とが互いに接触する複数の単位セルを含む。
【００３８】
図５は、図４のタッチ位置検出装置の駆動に従うタッチパネル１００に印加される信号のタイミング図である。
【００３９】
本実施形態の説明の簡単化のために、６つの第１電極１４０と第１電極１４０と直交する４つの第２電極１５０を有するタッチパネルに接続される検出装置の駆動動作を図１〜図５を参照して説明する。
【００４０】
本実施形態によるタッチパネル１００の単位セルの観点から、６×４マトリックスのタッチ領域が検出されるようになる。
例えば、タッチパネル１００で、第１行１列（１，１）及び第１行３列（１，３）の位置にマルチタッチが発生した場合を説明する。
【００４１】
まず、タッチパネル制御部３００が複数のタッチを認識すると、タッチパネル制御部３００は、タッチパネル駆動装置２００の下部駆動素子部２１０に順次に電圧を印加する。
【００４２】
図４及び図５を参照すると、第１番目第１電極１４０ａに接続された第１下部駆動素子部２１０ａがターン・オンし（ＳＲ１）、第１番目第１電極１４０ａに電圧が印加される。
第１下部駆動素子部２１０ａがターン・オン（ｔｕｒｎ  ｏｎ）している間、上部駆動素子部２２０がタッチパネル制御部３００からの読出信号の印加を受けて、第２電極１５０が第１番目第２電極１５０ａ、第２番目第２電極１５０ｂ、第３番目第２電極１５０ｃ、第４番目第２電極１５０ｄの順に電圧が読み出（ｒｅａｄ  ｏｕｔ）される。
【００４３】
ここで、第１番目第２電極１５０ａの電圧が読み出される時、第１番目第２電極１５０ａが第１番目第１電極１４０ａに接触してある一定の電圧が降下される。センシング抵抗２３１でこの電圧の降下を認識する。従って、１つのタッチがタッチパネル１００の第１行１列（１，１）の位置で発生したことが認識できる。また、第３番目第２電極１５０ｃの電圧が読み出される時、第３番目第２電極１５０ｃが第１番目第１電極１４０ａに接触してある一定の電圧が降下されるため、センシング抵抗２３１でこの電圧の降下を認識する。従って、また別のタッチがタッチパネル１００の第１行３列（１，３）の位置で発生したことが認識できる。ここで、タッチパネル制御部３００は、センシング素子２３２をターン・オフ（ｔｕｒｎ  ｏｆｆ）状態に維持させる。
【００４４】
次に、第２番目第１電極１４０ｂに接続された第２下部駆動素子部２１０ｂがターン・オンし（ＳＲ２）、第２番目第１電極１４０ｂに電圧が印加される。第２下部駆動素子部２１０ｂがターン・オンしている間、上部駆動素子部２２０がタッチパネル制御部３００からの読出信号の印加を受けて、第２電極１５０の電圧が第１行から第４行まで順次に読み出される。ここで、タッチパネル制御部３００は、センシング素子２３２をターン・オフ状態に維持させる。
【００４５】
次に、第３番目第１電極１４０ｃに接続された第３下部駆動素子部２１０ｃがターン・オンし（ＳＲ３）、第３番目第１電極１４０ｃに電圧が印加される。第３下部駆動素子部２１０ｃがターン・オンしている間、上部駆動素子部２２０がタッチパネル制御部３００からの読出信号の印加を受けて、第２電極１５０の電圧が第１行から第４行まで順次に読み出される。ここで、タッチパネル制御部３００は、センシング素子２３２をターン・オフ状態に維持させる。
【００４６】
次に、第４番目第１電極１４０ｄに接続された第４下部駆動素子部２１０ｄがターン・オンし（ＳＲ４）、第４番目第１電極１４０ｄに電圧が印加される。第４下部駆動素子部２１０ｄがターン・オンしている間、上部駆動素子部２２０がタッチパネル制御部３００からの読出信号の印加を受けて、第２電極１５０の電圧が第１行から第４行まで順次に読み出される。ここで、タッチパネル制御部３００は、センシング素子２３２をターン・オフ状態に維持させる。
【００４７】
次に、第５番目第１電極１４０ｅに接続された第５下部駆動素子部２１０ｅがターン・オンし（ＳＲ５）、第５番目第１電極１４０ｅに電圧が印加される。第５下部駆動素子部２１０ｅがターン・オンしている間、上部駆動素子部２２０がタッチパネル制御部３００からの読出信号の印加を受けて、第２電極１５０の電圧が第１行から第４行まで順次に読み出される。ここで、タッチパネル制御部３００は、センシング素子２３２をターン・オフ状態に維持させる。
【００４８】
次に、第６番目第１電極１４０ｆに接続された第６下部駆動素子部２１０ｆがターン・オンし（ＳＲ６）、第６番目第１電極１４０ｆに電圧が印加される。第６下部駆動素子部２１０ｆがターン・オンしている間、上部駆動素子部２２０がタッチパネル制御部３００からの読出信号の印加を受けて、第２電極１５０の電圧が、第１番目第２電極１５０ａ、第２番目第２電極１５０ｂ、第３番目第２電極１５０ｃ、第４番目第２電極１５０ｄの順に読み出される。ここで、タッチパネル制御部３００は、センシング素子２３２をターン・オフ状態に維持させる。
【００４９】
従って、上記一連の動作に沿って、第１行１列（１，１）及び第１行３列（１，３）において第１タッチ及び第２タッチのマルチタッチがあることを確認できる。
【００５０】
続いて、タッチパネル制御部３００は、タッチパネル駆動装置２００の上部駆動素子部２２０に順次に電圧を印加する。
【００５１】
まず、第１番目第２電極１５０ａに接続された第１上部駆動素子部２２０ａがターン・オンし、第１番目第２電極１５０ａに電圧が印加される。第１上部駆動素子部２２０ａがターン・オンしている間、下部駆動素子部２１０は、タッチパネル制御部３００からの読出信号の印加を受けて、第１電極１４０が、第１行（１４０ａ）から第６行（１４０ｂ）まで順次に読み出される。従って、第１タッチが第１行１列（１，１）の位置において電圧降下があることを認識することができる。ここで、タッチパネル制御部３００は、センシング素子２３２をターン・オフ状態に維持させる。
【００５２】
また、第１電極１４０の駆動時、第２番目第２電極１５０ｂで、電圧の降下が発生しなかったので、第２番目第２電極１５０ｂの駆動を省略してもよい。そうすることにより、タッチされた位置を認識するための駆動時間を減少させることができる。
【００５３】
次に、第３番目第２電極１５０ｃに接続された第３上部駆動素子部２２０ｃがターン・オンし、第３番目第２電極１５０ｃに電圧が印加される。第３上部駆動素子部２２０ｃがターン・オンしている間、下部駆動素子部２１０は、タッチパネル制御部３００からの読出信号の印加を受けて、第１電極１４０が、第１行から第６行まで順次に読み出される。従って、第１行３列（１，３）の位置の電圧降下によって第２タッチがあることを認識することができる。ここで、タッチパネル制御部３００は、センシング素子２３２をターン・オフ状態に維持させる。
【００５４】
また、第１電極１４０の駆動時、第４番目第２電極１５０ｄで、電圧の降下が発生しなかったので、第４番目第２電極１５０ｄの駆動を省略してもよい。そうすることにより、タッチされた位置を認識するための駆動時間を減少させることができる。
【００５５】
続いて、駆動素子部（２１０ａ〜２１０ｆ，２２０ａ〜２２０ｄ）による上記動作が完了すると、タッチパネル制御部３００は、センシング素子２３２をターン・オンさせる（ＳＳ）。センシング素子２３２がターン・オンしている間（ＳＳ）、上記の一連の動作によって得たアナログの位置値は、ＡＤＣ３１０によりデジタル位置値に変換される。変換されたデジタル位置値がＭＣＵ３２０に提供され、ＭＣＵ３２０は、デジタル位置値に基づいて、マルチタッチされた位置を計算する。つまり、センシング素子２３２がハイレベルになっている区間は、ＭＣＵ３２０がマルチタッチされた位置を計算する区間である。続いて、ＭＣＵ３２０は、計算された位置情報を液晶パネル（図示せず）を駆動させるシステム４００に提供してもよい。
【００５６】
駆動素子部（２１０ａ〜２１０ｆ，２２０ａ〜２２０ｄ）によってマルチタッチされた位置をセンシングし、ＭＣＵ３２０によって位置を計算する一連の動作は、１つのフレーム内で全てが成される。
【００５７】
本実施形態では駆動素子部（２１０ａ〜２１０ｆ，２２０ａ〜２２０ｄ）をＭＨｚ単位で駆動させるので、駆動素子部（２１０ａ〜２１０ｆ，２２０ａ〜２２０ｄ）によって、位置がセンシングされる時間は、ｎｓ単位の時間のみがかかり、従って、ＭＣＵ３２０でセンシングされた位置を計算する時間を充分に確保できる。
【００５８】
つまり、従来の技術では、１つのフレームの間、タッチされた位置を認識するために、ｍｓ単位の時間がかかったのに比べて、本実施形態によると、１つのフレームの間、タッチされた位置の認識のために、下部駆動素子部２１０によってかかる時間ｎｓと上部駆動素子２２０によってかかる時間ｎｓは、ｎｓ単位値に過ぎない。従って、駆動素子（２１０ａ〜２１０ｆ，２２０ａ〜２２０ｄ）によってかかる時間に、センシング素子２３２によってセンシングされた位置を検出する時間を加えても、本実施形態による全体時間は、従来技術の全体時間より少ない時間か、またはほぼ同様の時間で行える。
【００５９】
また、駆動素子部（２１０ａ〜２１０ｆ，２２０ａ〜２２０ｄ）及びセンシング素子は、外装型を基本にしてもよい。従って、多チャンネルの電界効果トランジスタ（Ｆｉｅｌｄ  Ｅｆｆｅｃｔ  Ｔｒａｎｓｉｓｔｏｒ：ＦＥＴ）が駆動素子（２１０ａ〜２１０ｆ，２２０ａ〜２２０ｄ）及びセンシング素子として使用されてもよい。しかし、駆動素子（２１０及び２２０）及びセンシング素子は、内蔵型であってもよい。
【００６０】
図６は、本実施形態によるタッチ位置検出方法を示すフローチャートである。
図１〜図６を参照して、本実施形態によるタッチパネル１００に発生するタッチの検出動作を説明する。
【００６１】
本実施形態に従って、上部基板１２０がペンまたは指によってタッチされ加圧されると、図２に示すように、上部基板１２０に形成された第２電極１５０と下部基板１１０に形成された第１電極１４０が接触する。従って、電圧の変化が発生して、タッチパネル制御部３００は、タッチされたことを認識する。
【００６２】
まず、タッチパネル制御部３００が、ある一定の電圧が降下してタッチされたことを認識すると、タッチパネル制御部３００は、タッチに応答してタッチパネルを駆動するため外部から電源電圧をタッチパネル駆動装置２００に供給する（ステップＳ１１０）。
タッチパネル制御部３００は、何れのタッチの発生に拘わらず、第１電極１４０及び第２電極１５０に、異なるレベルを有するある一定の電圧をそれぞれ供給している状態であってもよい。従って、第１電極１４０は、少なくとも何れかの１つ以上のタッチによって第２電極１５０に接触して、電圧降下が発生し、タッチパネル制御部３００が電圧降下を認識する。
【００６３】
続いて、供給された外部からの電源電圧によって、下部基板１１０に形成された第１電極１４０に接続された下部駆動素子部２１０を順次にターン・オンさせる（ステップＳ１２０）。
下部駆動素子部２１０のそれぞれがターン・オンしている間、上部基板１２０に形成された第２電極１５０に接続された上部駆動素子部２２０を順次にターン・オンさせることによって、Ｘ座標で電圧の降下が発生した位置を読み出すようにする（ステップＳ１３０）。
【００６４】
読み出された位置の情報をタッチパネル制御部３００に伝送する（ステップＳ１４０）。
タッチパネル制御部３００に伝送された位置情報によって、上部基板１１０に形成された第２電極１５０に接続された上部駆動素子部２２０を選択的にターン・オンさせる（ステップＳ１５０）。
【００６５】
ステップＳ１５０で、選択された上部駆動素子部２２０のそれぞれがターン・オンしている間、下部基板１１０に形成された第１電極１５０に接続された下部駆動素子部２１０を順次にターン・オンさせることによって、Ｙ座標で電圧降下が発生した位置を読み出す（ステップＳ１６０）。
【００６６】
読み出された位置の情報をタッチパネル制御部３００に伝送する（ステップＳ１７０）。
続いて、センシング素子２３２をターン・オンさせる（ステップＳ１８０）。
【００６７】
図７は、図６のステップＳ１８０によるタッチパネル制御部３００の構成要素の動作を示すフローチャートである。
【００６８】
図１〜図７を参照すると、センシング素子２３２がターン・オンしている間（ステップＳ１８０）、タッチパネル制御部３００のＡＤＣ３１０は、タッチパネル駆動装置２００から受信されたアナログ位置値をデジタル位置値に変換し（ステップＳ２１０）、タッチパネル制御部３００のＭＣＵ３２０は、正確な位置を認識するためにデジタル位置値を計算してする（ステップＳ２２０）。
【００６９】
そして、タッチパネル制御部３００は、ＭＣＵ３２０の計算から獲得した情報を液晶パネル（図示せず）を駆動するシステム４００に伝送する（ステップＳ２３０）。
【００７０】
続いて、タッチパネル制御部３００は、センシング素子２３２をターン・オフさせる（ステップＳ１９０）。
【００７１】
本実施形態によれば、タッチパネル１００の上部基板１２０に複数のタッチが発生しても、タッチ位置検出装置５００の動作に従って、不要なタッチ位置検出駆動動作を省略することによって、タッチを検出するのにかかる時間を減少させることができる。また、タッチされた位置を正確に認識することができる。
【００７２】
図８は、本実施形態によるタッチ位置検出装置５００に含まれるタッチパネル１００ａの他の例を示す平面図である。
【００７３】
第１電極１４０は、第１方向に配列される。複数の第２電極１５０が１つの第１電極１４０に対応して第２方向に配列される。従って、複数の第１電極１４０のそれぞれに対応して配列された第２電極１５０は、平面上からみると、マトリックス状を成す。
【００７４】
ここで、１つの奇数列の第２電極１５０と奇数列に隣接する１つの偶数列の第２電極１５０が１つのグループを形成する。奇数列の第２電極１５０のそれぞれが第１方向に直線に接続せず、偶数列の第２電極１５０のそれぞれが第１方向に直線に接続せず、奇数列の第２電極１５０のそれぞれが偶数列の第２電極１５０のそれぞれにジグザグで接続する。
【００７５】
例えば、第１番目第１電極１４０ａに対応する複数の第２電極１５０の内、第１列の第３方向にハッチング処理されたボックスで描かれた第２電極１５０ａは、第２番目第１電極１４０ｂに対応する複数の第２電極１５０の内、第２列の第４方向にハッチングされたボックスで描かれた第２電極１５０ａに接続部１７０によって対角線で接続される。第２番目第１電極１４０ｂに対応する複数の第２電極１５０の内、第２列の第４方向にハッチング処理されたボックスで描かれた第２電極１５０ａは、第３番目第１電極１４０ｃに対応する複数の第２電極１５０の内、第１列の第３方向にハッチングされたボックスで描かれた第２電極１５０ａに、接続部１７０によって対角線で接続される。
【００７６】
また、第１番目第１電極１４０ａに対応する複数の第２電極１５０の内、第２列の未ハッチングされたボックスで描かれた第２電極１５０ｂは、第２番目第１電極１４０ｂに対応する複数の第２電極１５０の内、第１列の未ハッチングされたボックスで描かれた第２電極１５０ｂに接続部１７０によって接続される。第２番目第１電極１４０ｂに対応する複数の第２電極１５０の内、第１列の未ハッチングされたボックスで描かれた第２電極１５０ｂは、第３番目第１電極１４０に対応する複数の第２電極１５０の内、第２列の未ハッチングされたボックスで描かれた第２電極１５０ｂに接続部１７０によって接続される。
【００７７】
図９は、図８のＡ部分の拡大図である。図１０は、図９のＢ部分の断面図である。
図８〜図１０を参照すると、一例による接続部１７０は、第１接続線１７０ｋ及び第２接続線１７０ｌを含む。
【００７８】
第３方向にハッチング処理されたボックスで描かれた第２電極１５０ｋと、未ハッチングされたボックスで描かれた第２電極１５０ｌが同じ層に形成される。しかし、第１接続線１７０ｋ及び第２接続線１７０ｌが第３方向にハッチングされたボックスで描かれた第２電極１５０ｋのそれぞれと未ハッチングされたボックスで描かれた第２電極１５０ｌのそれぞれを接続するとき、第１接続線１７０ｋは、第２接続線１７０ｌと別の層に配置するように形成しなければならない。
【００７９】
つまり、第１接続線１７０ｋの厚さｄ１及び第２接続線１７０ｌの厚さｄ２の和は、第２電極１５０の厚さＤより薄いかまたは同じであるため、第１接続線１７０ｋ及び第２接続線１７０ｌは、第２電極１５０と同じ層に形成してもよい。従って、第１接続線１７０ｋは、第２接続線１７０ｌと互いに異なる層に形成されるが、第１接続線１７０ｋ及び第２接続線１７０ｌは、第２電極１５０と同じ層に形成してもよい。
【００８０】
ここで、ハッチング処理されたボックスで描かれた第２電極１５０ｋを接続する第１接続線１７０ｋと未ハッチング処理されたボックスで描かれた第２電極１５０ｌを接続する第２接続線１７０ｌの層の配置は特に限定しない。
【００８１】
第１接続線１７０ｋは、第２接続線１７０ｌと交差している。外部からのタッチによって上部基板１２０が加圧される時、接続部１７０が形成される以外の領域が加圧されても、第１接続線１７０ｋ及び第２接続線１７０ｌが交差する部分が接触するのを防ぐために接触を回避するようにしたほうがよい。従って、第１接続線１７０ｋが第２接触線１７０ｌと交差する第１接続線１７０ｋ及び第２接続線１７０ｌの交差部分に凹部１７１を形成してもよい。
【００８２】
第１接続線１７０ｋに形成された第１凹部１７１ｋの大きさは、第２接続線１７０ｌに形成された第２凹部１７１ｌの大きさと異なってもよい。
【００８３】
接続部１７０は、パターンの捻られる回数、パターンの太さ、パターンの幅、パターンの模様などによって抵抗値を調節することができる。従って、接続部１７０のパターンの調節に従って抵抗値を調節して、第１電極１４０と第２電極１５０との接触の時の降下する電圧値を任意に設定することができる。
【００８４】
各行毎に０．１Ｖずつ一定電圧が降下するように抵抗値を設定する場合を例として説明すると図８で定義された１つの単位セルの第２電極１５０が第１電極１４０と接触し、０．１Ｖ降下し、接続部１７０によって接続された後、単位セルの第２電極１５０が第１電極１４０と接触し、０．１Ｖ降下する。従って、０．１Ｖずつ電圧が線形的に降下してもよい。
【００８５】
一方、０．１Ｖと０．２Ｖの電圧が交代に降下するように、接続部１７０の抵抗値を異なるように設定する場合を例として説明すると、１つの単位セルの第２電極１５０が第１電極１４０と接触し、０．１Ｖ降下し、接続部１７０によって接続された後、単位セルの第２電極１５０が第１電極１４０ｂと接触する時、０．２Ｖ降下する。つまり、０．１Ｖ、０．２Ｖ、０．１Ｖ、０．２Ｖの順に電圧が降下するように、接続部１７０のパターンを変更してもよい。接続部１７０のパターン変更に従って、抵抗値が交代に変化し、それによって、電圧が降下する程度を変更してもよい。
【００８６】
接続部１７０のパターンに従って、電圧の降下する程度を調節することによって、位置が認識される時、発生し得る誤差の範囲を減らすことができる。
ここで、抵抗値が一定の場合より、抵抗値が一定の周期を持って変化する時、タッチパネルでの位置検出の誤差をさらに効率的に処理できることが、実験的計算によって証明されている。
【００８７】
図１１は、本実施形態によるタッチ位置検出装置５００に含まれるタッチパネル１００ｂのさらに他の例を示す平面図である。
図１１を参照すると、タッチパネル１００は、下部基板１１０に形成された複数の第１電極１４０及び上部基板１２０に形成された複数の第２電極１５０を含む。
【００８８】
第１電極１４０は、第１方向に配列する。第２電極１５０が１つの第１電極１４０に対応して、第２方向に配列する。従って、複数の第１電極１４０のそれぞれに対応して配列する第２電極１５０は、平面上から見ると、マトリックス状を成す。
【００８９】
ここで、第２電極１５０は、マトリックス状の第１列に配列する第２電極１５０同士に直線接続するのではなく、第１列に配列する第２電極１５０と隣接する第２列に配列された第２電極１５０と第３接続線１７０ｃとによって、ジグザグに接続される。また、第２列に配列された第２電極１５０が隣接する第３列に配列された第２電極１５０と第３接触線１７０ｃによってジグザグに接続される。
【００９０】
つまり、第１番目第１電極１４０ａに対応する複数の第２電極１５０の内、第１列の第３方向にハッチング処理されたボックスで描かれた第２電極１５０ｃは、第２行の第１電極１４０ｂに対応する複数の第２電極１５０の内、第２列のハッチング処理されたボックスで描かれた第２電極１５０ｃに第３接続線１７０ｃのよって接続される。
第２番目第１電極に対応する複数の第２電極１５０の内、第２列のハッチング処理されたボックスで描かれた第２電極１５０ｃは、第３番目第１電極１４０ｃに対応する複数の第２電極１５０の内、第１列のハッチング処理されたボックスで描かれた第２電極１５０ｃに第３接続線１７０ｃのよって接続される。
【００９１】
また、第１番目第１電極１４０ａに対応する複数の第２電極１５０の内、第２列の第４方向にハッチング処理されたボックスで描かれた第２電極１５０ｄは、第２番目第１電極１４０ｂに対応する複数の第２電極１５０の内、第３列のハッチング処理されたボックスで描かれた第２電極１５０ｄに第３接続線１７０ｃのよって接続される。
第２番目第１電極１４０ｂに対応する複数の第２電極１５０の内、第３列のハッチング処理されたボックスで描かれた第２電極１５０ｄは、第３番目第１電極１４０ｃに対応する複数の第２電極１５０の内、第２列のハッチング処理されたボックスで描かれた第２電極１５０ｄに第３接続線１７０ｃによって接続される。
【００９２】
しかし、タッチパネル１００ｂは、第３接続線１７０ｃのみによって第２電極１５０それぞれを交差せずに接続するため、図８に示すタッチパネル１００ａの電極構造のように交差部分が発生しない。従って、第３接続線１７０ｃは、図８の第１接続線１７０ｋ及び第２接続線１７０ｌのように凹部を形成する必要がない。
【００９３】
反面、図１１に示すタッチパネル１００ｂは、タッチパネル１００ｂの外郭に沿って離隔された未ハッチング処理されたボックスの第２電極１５０ｅを接続するためのフレーム線８１０をさらに含む。
【００９４】
フレーム線８１０は、ハッチング処理されたボックスで描かれた第２電極１５０ｃ及びハッチング処理されたボックスで描かれた第２電極１５０ｄを第３接続線１７０ｃによって接続して、その他の残った未ハッチング処理されたボックスで描かれた第２電極１５０ｅを接続する線である。残った未ハッチング処理されたボックスで描かれた第２電極１５０ｅがタッチパネル１００ｂの外郭に離隔して配置されているため、残った未ハッチング処理されたボックスで描かれた第２電極１５０ｅをフレーム線８１０を利用して外郭に接続する。
【００９５】
図１２は、本発明の第２の実施形態によるタッチ位置検出装置１０００のブロック図であり、図１３は、図１２の一例によるタッチパネル１００に接続されたタッチパネル駆動装置９００の詳細図である。
【００９６】
本実施形態は、タッチパネル駆動装置９００が駆動素子またはセンシング素子を具備せず、タッチパネル制御部３００から電圧の代わりにパルスの入力を受けて、タッチのタッチ位置を検出する以外は、第１の実施形態と同一であるタッチパネル１００を利用していて、構成要素が同一であるため、第１の実施形態において説明する構成要素と同一の参照番号を利用して、構成要素に関して重複される内容は省略する。
【００９７】
図１、図２、図１２、及び図１３を参照すると、本実施形態によるタッチパネル駆動装置９００は、下部時間遅延配線部９１０及び上部時間遅延配線部９２０を含む。
ここで、タッチパネル駆動装置９００は、タッチパネル制御部３００から電圧の代わりに駆動パルス（または、信号）の印加を受けて、タッチパネル１００を駆動させる。
【００９８】
下部時間遅延配線部９１０は、特定パターンに捻られた配線を含んでもよい。配線の長さは、下部時間遅延配線部９１０それぞれ毎に、同一または異なってもよい。つまり、下部時間遅延配線部９１０それぞれに含まれる配線の長さによって遅延される時間が一定または特定の周期を有するように調節してもよい。
【００９９】
また、下部時間遅延配線部９１０は、第１電極１４０間毎に接続し、駆動パルスが第１電極１４０のそれぞれに印加される時間を充分に遅延させることによって、第１電極１４０に順次に駆動パルスを印加することができる。
【０１００】
上部時間遅延配線部９２０は、特定パターンで捻られた配線を含む。配線の長さは、上部時間遅延配線部９２０それぞれ毎に、同一または異なってもよい。つまり、上時間遅延配線部９２０それぞれに配線の長さによって遅延される時間が一定または特定の周期を有するように調節してもよい。
【０１０１】
また、上部時間遅延配線部９２０は、第２電極１５０間毎に接続し、駆動パルスが第２電極１５０のそれぞれに印加される時間を充分に遅延させることによって、第２電極１５０に順次に駆動パルスを印加することができる。
【０１０２】
図１４は、図１３のタッチパネルの駆動動作のタイミング図である。
図１２〜図１４を参照すると、タッチパネル制御部３００から印加された１つの駆動パルスは、先ず、第６番目第１電極１４０ｆに印加される。
【０１０３】
次に、駆動パルスが第５番目第１電極１４０ｅに印加する前に、駆動パルスは、第６番目第１電極１４０ｆと第５番目第１電極１４０ｅとの間に配置された第５下部時間遅延配線部９１０ｅによって一定時間遅延されて、第５番目第１電極１４０ｅに印加される。
【０１０４】
次に、駆動パルスが第４番目第１電極１４０ｄに印加される前に、駆動パルスは、第５番目第１電極１４０ｅと第４番目第１電極１４０ｄとの間に配置された第４番目下部時間遅延配線部９１０ｄによって一定時間遅延されて、第４番目第１電極１４０ｄに印加される。
【０１０５】
次に、駆動パルスが第３番目第１電極１４０ｃに印加される前に、駆動パルスは、第４番目第１電極１４０ｄと第３番目第１電極１４０ｃとの間に配置された第３下部時間遅延配線部９１０ｃによって一定時間遅延されて、第３番目第１電極１４０ｃに印加される。
【０１０６】
次に、駆動パルスが第２番目第１電極１４０ｂに印加される前に、駆動パルスは、第３番目第１電極１４０ｃと第２番目第１電極１４０ｂとの間に配置された第２下部時間遅延配線部９１０ｂによって一定時間遅延されて、第２番目第１電極１４０ｂに印加される。
【０１０７】
次に、駆動パルスが第１番目第１電極１４０ａに印加される前に、駆動パルスは、第２番目第１電極１４０ｂと第１番目第１電極１４０ａとの間に配置された第１下部時間遅延配線部９１０ａによって一定時間遅延されて、第１番目第１電極１４０ａに印加される。
【０１０８】
従って、それぞれの上部時間遅延配線部が、それぞれの第１電極間毎に配置されるため、本実施形態の６つの第１電極を有するタッチパネル１００には５つの下部時間遅延配線部が形成されてもよい。しかし、特別に５つの下部時間遅延配線部に限定されるものではない。
【０１０９】
第６番目第１電極１４０ｆに駆動パルスが印加されている間、上部時間遅延配線部９２０にも読出（ｒｅａｄｉｎｇ）パルスが印加される。つまり、タッチパネル制御部３００は、上部時間遅延配線部９２０に読出パルスを印加して、何れのタッチによる電位の変化であるかを認識する。従って、電位の変化が発生する場所の位置を読み出す。
【０１１０】
上部時間遅延配線部９２０も下部時間遅延配線部９１０と同様に、タッチパネル制御部３００から読出パルスの印加を受けて、第４番目第２電極１５０ｄに、先に読出パルスが印加される。
【０１１１】
読出パルスは、第４番目第２電極１５０ｄと第３番目第２電極１５０ｃとの間に配置された第３上部時間遅延配線部９２０ｃによって一定時間、遅延されて、第３番目第２電極１５０ｃに印加される。
【０１１２】
次に、読出パルスは、第３番目第２電極１５０ｃと第２番目第２電極１５０ｂとの間に配置された第２上部時間遅延配線部９２０ｂによって一定時間、遅延されて、第２番目第２電極１５０ｂに印加される。
【０１１３】
次に、読出パルスは、第２番目第２電極１５０ｂと第１番目第２電極１５０ａとの間に配置された第１上部時間遅延配線部９２０ａによって一定時間、遅延されて、第１番目第２電極１５０ａに印加される。
【０１１４】
従って、それぞれの上部時間遅延配線部がそれぞれの第２電極との間に配置されるため、本実施形態の４つの第２電極を有するタッチパネル１００には、３つの上部時間遅延配線部が形成されてもよい。
【０１１５】
次に、上部時間遅延配線部９２０に駆動パルスを印加する間、下部時間遅延配線部９１０に読出パルスを印加する、反対の駆動も同一に行われるため、これに該当する説明は省略する。
【０１１６】
また、本実施形態において、図８及び図１１を例として示したタッチパネルが適用されてもよい。
【０１１７】
図１５は、本実施形態によるタッチ位置検出方法を示すフローチャートである。
図１、図２、図１２〜図１５を参照して、本実施形態によるタッチパネル１００に発生するタッチの検出動作を説明する。
【０１１８】
本実施形態に従って、上部時間遅延配線部９２０がペンまたは指によってタッチされ加圧されると、図２に示すように、上部基板１２０に形成された第２電極１５０と下部基板１１０に形成された第１電極１４０が接触する。従って、電圧の変化が発生して、タッチパネル制御部３００は、タッチされたことを認識する。
【０１１９】
先ず、タッチパネル制御部３００が、タッチされたと認識すると、タッチパネル制御部３００は、タッチに応答してタッチパネルを駆動するために、駆動パルスをタッチパネル駆動装置９００の下部時間遅延配線部９１０に供給する（ステップＳ３１０）。
【０１２０】
続いて、下部時間遅延配線部（９１０（９１０ａ〜９１０ｅ））のそれぞれに駆動パルスを順次に供給している間、上部基板１２０に形成された第２電極１５０に接続された上部時間遅延配線部（９２０（９２０ａ〜９２０ｃ））に読出パルスを順次に印加することによって、Ｘ座標で、マルチタッチされた位置においての電位の変化または短絡を読み出す（ステップＳ３２０）。
【０１２１】
続いて、読み出されたＸ座標位置の情報をタッチパネル制御部３００に伝送する（ステップＳ３３０）。
【０１２２】
続いて、上部基板１１０に形成された第２電極１５０に接続された上部時間遅延配線部（９２０（９２０ａ〜９２０ｃ））のそれぞれに駆動パルスを順次に供給する（ステップＳ３４０）。
【０１２３】
続いて、上部時間遅延配線部（９２０（９２０ａ〜９２０ｃ））のそれぞれに駆動パルスを順次に供給している間、下部基板１１０に形成された第１電極１５０に接続された下部時間遅延配線部（９１０（９１０ａ〜９１０ｅ））に読出パルスを順次に印加することによって、Ｙ座標でマルチタッチされた位置においての電位の変化または短絡を読み出す（ステップＳ３５０）。
【０１２４】
続いて、読み出されたＹ座標位置の情報をタッチパネル制御部３００に伝送する（ステップＳ３６０）。
【０１２５】
続いて、タッチパネル制御部３００は、受信されたＸ座標位置の情報及びＹ座標位置の情報を計算して、タッチパネル１００にマルチタッチされた位置を検出する（ステップＳ３７０）。
【０１２６】
従って、本実施形態によると、タッチパネル１００の上部基板１２０に複数のタッチが発生すると、駆動パルス及び読出パルスが捻れパターンの配線によって時間が遅延されて、タッチ位置検出装置１０００のタッチパネル制御部３００から電極に提供されることにより、不要な素子を省略することによって、タッチを検出するのにかかる時間を減少させ、製造費用を減らすことができる。
【０１２７】
本実施形態では、下部時間遅延配線部９１０は、第１電極１４０に１つのパルスを順次に印加できるように接続して、第１電極１４０のそれぞれに到達するパルスの到達時間を遅延させた。また、上部時間遅延配線部９２０は、第２電極１５０に１つのパルスを順次に印加できるように接続して、第２電極１５０のそれぞれに到達するパルスの到達時間を遅延させた。
【０１２８】
しかし、下部時間遅延配線部９１０及び上部時間遅延配線部９２０内の配線の長さを変化させずに、下部時間遅延配線部９１０が第１電極１４０のそれぞれに接続する順番を任意に変更し、上部時間遅延配線部９２０が第２電極１５０のジグザグ列ＺＣのそれぞれに接続する順番を任意に変更させることによって、パルスの到達時間を遅延させることもできる。
【０１２９】
本実施形態によるタッチパネル駆動装置９００は、タッチパネル制御部３００から提供される、１つのパルスを利用して、パルスの時間遅延に従って、順次に第１及び第２電極（１４０、１５０）に印加される。つまり、スイッチング素子などを使用せず、配線のレイアウト（ｌａｙ−ｏｕｔ）のみを変更することによって、パルスが電極に到達する時間を遅延させることによって、原価節減をすることができる。
【０１３０】
尚、本発明は、上述の実施形態に限られるものではない。本発明の技術的範囲から逸脱しない範囲内で多様に変更実施することが可能である。
【産業上の利用可能性】
【０１３１】
本発明は、電子手帳、携帯電話、ＰＤＡなどの表示装置の表示面にタッチすることによって入力する電子機器に好適に利用することができる。
【符号の説明】
【０１３２】
１００、１００ｂ    タッチパネル
１１０    下部基板
１２０    上部基板
１３０    スペーサー
１４０（１４０ａ〜１４０ｆ）    第１電極
１５０（１５０ａ〜１５０ｄ〜１５０ｋ、１５０ｌ）    第２電極
１６０    接着剤
１７０    接続部
１７０ｋ、１７０ｌ、１７０ｃ    （第１、第２、第３）接続線
１７１ｋ、１７１ｌ    第１及び第２凹部
２００、９００    タッチパネル駆動装置
２１０（２１０ａ〜２１０ｆ）    下部駆動素子部
２２０（２２０ａ〜２２０ｄ）    上部駆動素子部
２３０    センシング素子部
２３１    センシング抵抗
２３２    センシング素子
３００    タッチパネル制御部
３１０    ＡＤＣ
３２０    ＭＣＵ
４００    システム
５００、１０００    タッチ位置検出装置
８１０    フレーム線
９１０（９１０ａ〜９１０ｅ）    下部時間遅延配線部
９２０（９２０ａ〜９２０ｃ）    上部時間遅延配線部
【図１】
2010250801.tif 000003
【図２】
2010250801.tif 000004
【図３】
2010250801.tif 000005
【図４】
2010250801.tif 000006
【図５】
2010250801.tif 000007
【図６】
2010250801.tif 000008
【図７】
2010250801.tif 000009
【図８】
2010250801.tif 000010
【図９】
2010250801.tif 000011
【図１０】
2010250801.tif 000012
【図１１】
2010250801.tif 000013
【図１２】
2010250801.tif 000014
【図１３】
2010250801.tif 000015
【図１４】
2010250801.tif 000016
【図１５】
2010250801.tif 000017